(57)【要約】【課題】  太陽電池パネルが屋根勾配に沿って滑り落ちないように仮支持した状態で、太陽電池パネルの軒棟方向の位置調整をして取付けできる。【解決手段】  太陽電池パネル２の軒側端部の複数個所及び棟側端部の複数個所をそれぞれ屋根１上に固定した複数の取付け装置３に取付ける。太陽電池パネル２を屋根１上に取付けた複数の取付け装置３の屋根固定金具４の載置部６に載置した状態で、軒側に位置する支持金具５の縦片９に太陽電池パネル２の軒側端面に当接し且つ上横片１０を太陽電池パネル２の軒側端部上面に当接した状態で該支持金具５を被取付け部７に固定する。棟側に位置する支持金具５の縦片９に太陽電池パネル２の棟側端面を当接し且つ上横片１０を太陽電池パネル２の棟側端部上面に当接した状態で該支持金具５を被取付け部７に固定する。【選択図】        図１
2010163750.tif 000002
【特許請求の範囲】
【請求項１】
太陽電池パネルの軒側端部の複数個所及び棟側端部の複数個所をそれぞれ屋根上に固定した複数の取付け装置に取付けるものであって、
取付け装置が、屋根上に固定する屋根固定金具と支持金具とを組み合わせて構成され、
屋根固定金具が、太陽電池パネルを載置する載置部と、支持金具を取付ける被取付け部と、屋根に固定する固定部とを有し、
支持金具は、屋根固定金具の被取付け部に対して軒棟方向に移動自在で且つ移動範囲の任意の位置で移動しないように固定自在に取付けてあり、該支持金具に、太陽電池パネルの軒側端面又は棟側端面に対向する縦片と、太陽電池パネルの軒側端部の上面又は棟側端部の上面に対向する上横片とが設けられ、
太陽電池パネルが複数の取付け装置の屋根固定金具の載置部に載置された状態で、
軒側に位置する支持金具の縦片が太陽電池パネルの軒側端面に当接し且つ上横片が太陽電池パネルの軒側端部上面に当接した状態で支持金具が被取付け部に固定され、
棟側に位置する支持金具の縦片が太陽電池パネルの棟側端面に当接し且つ上横片が太陽電池パネルの棟側端部上面に当接した状態で支持金具が被取付け部に固定されていることを特徴とする太陽電池パネルの取付け構造。
【発明の詳細な説明】
【技術分野】
【０００１】
本発明は、太陽電池パネルを屋根に取付けるための技術に関するものである。
【背景技術】
【０００２】
従来から、太陽電池パネルを屋根上に取付けるものとして特許文献１が知られている。
【０００３】
この特許文献１に示された従来例は、屋根上に連結金具を固定し、連結金具の取付け上横片に、太陽電池パネルの軒側端部の下面、棟側端部の下面にそれぞれ設けた脚部の取付け下横片をそれぞれ連結金具の上記取付け上横片に上下に対向させて締結具で締結することで取付けるようになっている。
【０００４】
そして、従来にあっては、上横片に軒棟方向に長い長孔を形成し、上記締結具を上横片の長孔に対して移動自在且つ移動方向の任意の位置で固定自在としてあり、締結具による固定位置を軒棟方向に調整することができるようになっている。
【先行技術文献】
【特許文献】
【０００５】
【特許文献１】特開２００３−０８２８２４号公報
【発明の概要】
【発明が解決しようとする課題】
【０００６】
しかしながら上記のように太陽電池パネルの脚部の取付け下横片を、屋根上に取付けた連結金具の取付け上横片に載置して上記のように締結具により上下方向の位置調整をして固定する作業を行うに当たって、屋根は棟側から軒側に下り傾斜しているため、下横片を上横片に載置し、太陽電池パネルから手を離すと、大面積で重量の重い太陽電池パネルが軒側に向けて滑り落ちてしまう。このため従来にあっては、太陽電池パネルが滑り落ちないように手で支持した状態で、上記下横片と上横片の取付け位置を位置調整しながら締結具による連結作業を行う必要がある。
【０００７】
したがって、太陽電池パネルが大面積で重量が重いということを考えれば、太陽電池パネルが屋根勾配に沿って滑り落ちないように手で支持しながら取付け位置の調整をして固定するという上記作業を到底一人で行うことができず、屋根の上で作業員が太陽電池パネルが滑り落ちないように手で支えた状態で、別の作業員が下横片と上横片を位置調整しながら締結具により連結する作業を行うというように、多人数の作業員が必要で、施工が面倒で施工時間も長くかかるという問題がある。
【０００８】
本発明の太陽電池パネルの取付け構造は、上記の従来の問題点を解決することを課題とするものである。
【課題を解決するための手段】
【０００９】
上記課題を解決するために、本発明は、以下のような構成としている。
【００１０】
本発明の太陽電池パネルの取付け構造は、太陽電池パネル２の軒側端部の複数個所及び棟側端部の複数個所をそれぞれ屋根１上に固定した複数の取付け装置３に取付けるものである。取付け装置３は、屋根１上に固定する屋根固定金具４と支持金具５とを組み合わせて構成される。屋根固定金具４は、太陽電池パネル２を載置する載置部６と、支持金具５を取付ける被取付け部７と、屋根１に固定する固定部８とを有している。支持金具５は、屋根固定金具４の被取付け部７に対して軒棟方向に移動自在で且つ移動範囲の任意の位置で移動しないように固定自在に取付けてあり、該支持金具５に、太陽電池パネル２の軒側端面又は棟側端面に対向する縦片９と、太陽電池パネル２の軒側端部の上面又は棟側端部の上面に対向する上横片１０とが設けてある。そして、太陽電池パネル２を屋根１上に取付けた複数の取付け装置３の屋根固定金具４の載置部６に載置した状態で、軒側に位置する支持金具５の縦片９に太陽電池パネル２の軒側端面に当接し且つ上横片１０を太陽電池パネル２の軒側端部上面に当接した状態で該支持金具５を被取付け部７に固定し、棟側に位置する支持金具５の縦片９に太陽電池パネル２の棟側端面を当接し且つ上横片１０を太陽電池パネル２の棟側端部上面に当接した状態で該支持金具５を被取付け部７に固定する。
【００１１】
このような構成とすることにより、屋根１上に取付け装置３を複数固定した状態で、太陽電池パネル２を取付け装置３の屋根固定金具４の載置部６に載置して、太陽電池パネル２の軒側端面を軒側に位置する取付け装置３の支持金具５の縦片９に当てるだけで、太陽電池パネル２を屋根勾配に沿って滑り落ちないように取付け装置３に仮支持することができる。このように太陽電池パネル２を滑り落ちないように仮支持した状態で、支持金具５を、屋根固定金具４の被取付け部７に対して軒棟方向に移動させて太陽電池パネル２の軒棟方向における取付け位置調整を行い、位置調整後、軒側に位置する支持金具５の縦片９を太陽電池パネル２の軒側端面に当接し且つ上横片１０を太陽電池パネル２の軒側端部上面に当接した状態で支持金具５を被取付け部７に固定し、また、棟側に位置する支持金具５の縦片９を太陽電池パネル２の棟側端面に当接し且つ上横片１０を太陽電池パネル２の棟側端部上面に当接した状態で支持金具５を被取付け部７に固定する。上記のように、太陽電池パネル２を屋根勾配に沿って滑り落ちないように仮支持した状態で、太陽電池パネル２の軒棟方向の位置調整をして固定できるので、少ない作業員で太陽電池パネル２の取付け作業ができることになる。
【発明の効果】
【００１２】
本発明は、屋根上に固定した取付け装置により太陽電池パネルが屋根勾配に沿って滑り落ちないように仮支持した状態で、太陽電池パネルの軒棟方向の位置調整をして固定することができ、少ない作業員で、簡単且つ短時間で太陽電池パネルの取付け作業ができる。
【図面の簡単な説明】
【００１３】
【図１】本発明の太陽電池パネルの取付け構造の軒棟方向の断面図である。
【図２】同上の軒と平行な方向の断面図である。
【図３】同上の軒棟方向の要部拡大断面図である。
【図４】同上の軒側における取付け部分を示す斜視図である。
【図５】同上の太陽電池パネルの取付ける直前の一部分解した斜視図である。
【図６】同上に用いる取付け装置の分解斜視図である。
【発明を実施するための形態】
【００１４】
以下、本発明を添付図面に示す実施形態に基いて説明する。
【００１５】
太陽電池パネル２は図１、図２に示すように、屋根１上に複数の取付け装置３により取付けられる。
【００１６】
この太陽電池パネル２を屋根１上に取付けるための取付け装置３は図６に示すようなもので、屋根固定金具４と支持金具５とを組み合わせて構成してある。
【００１７】
屋根固定金具４は、断面逆Ｕ状をした軒棟方向に細長い主体部１１の下端部に外側方に向けて固定部８となる横向き突片を突設して構成してある。断面逆Ｕ状をした軒棟方向に細長い主体部１１の上面は太陽電池パネル２を載置するための載置部６となっている。また、主体部１１の上面には軒棟方向に長い長孔又は長溝よりなる被取付け部７が形成してある。
【００１８】
支持金具５は図６に示すように、下横片１２から上方に縦片９を突設し、更に縦片９から上横片１０を突設して構成してある。ここで、下横片１２の全部又は一部が上横片１０と反対方向に突出しており、この下横片１２の上横片１０と反対側に突出した部分に挿入孔１３が設けてある。
【００１９】
上記支持金具５の下横片１２を屋根固定金具４の主体部１１の上面に重ね、長孔又は長溝よりなる被取付け部７に挿入したボルト１４を下横片１２の挿入孔１３に挿通してボルト１４の先端部にナット１５を螺合することで支持金具５を屋根固定金具４の被取付け部７に取付けて取付け装置３を構成してある。
【００２０】
上記構成の取付け装置３は、ナット１５を緩めることで屋根固定金具４の被取付け部７である長孔又は長溝に沿って支持金具５が軒棟方向に移動自在となっており、ナット１５を締め付けると、被取付け部７である長孔又は長溝に沿った移動範囲の任意の位置で支持金具５が屋根固定金具４に対して移動しないように固定することができるようになっている。
【００２１】
太陽電池パネル２は枠体１６に太陽電池モジュール１８を組み込んで構成してあって、平面視矩形状をしている。
【００２２】
太陽電池パネル２を屋根１上に設置するに当たっては、上記の屋根固定金具４と支持金具５とを組み合わせて構成した取付け装置３を用いて屋根１に取付ける。
【００２３】
太陽電池パネル２は軒側端部の複数個所および棟側端部の複数個所をそれぞれ取付け装置３により屋根１に取付ける。
【００２４】
太陽電池パネル２を屋根１上に取付けるに当たっては、まず屋根１上に、図５に示すように太陽電池パネル２の軒と平行な方向の寸法よりも短い寸法内に、複数の取付け装置３を軒と平行方向に任意間隔を隔てて配設し、この列を軒棟方向に太陽電池パネル２の軒棟方向と略同じ寸法隔てて２列配設する。配設された各取付け装置３は屋根固定金具４の固定部８を固定ねじなどの固着具１７により屋根１に固定する。
【００２５】
ここで、上記２列で一組となった複数の取付け装置３のうち、軒側に位置する列の取付け装置３においては、支持金具５の上横片１０が棟側を向けて突出するように支持金具５を屋根固定金具４に取付け、棟側に位置する列の取付け装置３においては、支持金具５の上横片１０が軒側を向けて突出するように支持金具５を屋根固定金具４に取付ける。
【００２６】
更に、軒側に位置する列の取付け装置３においては、ナット１５を緩めて支持金具５を屋根固定金具４に対して軒棟方向の軒側に移動させた状態とし、また、棟側に位置する列の取付け装置３においては、ナット１５を緩めて支持金具５を屋根固定金具４に対して軒棟方向の棟側に移動させた状態としておく。
【００２７】
次に、上記軒棟方向に２列で一組となるように屋根１上に取付けられた複数の取付け装置３の屋根固定金具４の載置部６に太陽電池パネル２を載置する。
【００２８】
この場合、太陽電池パネル２の枠体１６の軒側端部の部位の下面が、軒側に位置する屋根固定金具４の載置部６に載置され、太陽電池パネル２の枠体１６の棟側端部の部位の下面が、棟側に位置する屋根固定金具４の載置部６に載置される。
【００２９】
このように太陽電池パネル２を屋根１上に固定した複数の屋根固定金具４の載置部６に載置すると、屋根１が傾斜して勾配をもっているため、この屋根勾配に沿って太陽電池パネル２が載置部６上を軒側にずれるが、本発明においては、太陽電池パネル２の軒側端面が軒側に位置する支持金具５の縦片９に当接すると共に、太陽電池パネル２の軒側端部上面が上横片１０の下にもぐり込む。したがって、太陽電池パネル２は複数の取付け装置３の屋根固定金具４の載置部６に載置することで、縦片９に支持されて屋根勾配に沿ってずれ落ちることがないように仮支持されることになる。
【００３０】
次に、上記のように太陽電池パネル２を複数の取付け装置３の屋根固定金具４に仮支持した状態で、太陽電池パネル２の位置調整を行う。軒と平行な方向の位置調整に当っては、上記のようにずれ落ちないように仮支持した状態で太陽電池パネル２を軒と平行な方向に移動させることで軒と平行な方向の位置調整を行う。
【００３１】
また、軒棟方向の位置調整に当たっては、軒側に位置する取付け装置３の支持金具５を屋根固定金具４の被取付け部７に沿って軒棟方向に移動して位置調整を行い、位置調整が完了すると、太陽電池パネル２の軒側端面が縦片９に当った状態のまま、軒側に位置する取付け装置３のナット１５を締め付けることで支持金具５が屋根固定金具４に対して移動しないように固定する。このようにナット１５を締め付けると、図３に示すように上横片１０が太陽電池パネル２の枠体１６の軒側端部上面に当接して枠体１６を上から押さえ付けることになる。
【００３２】
その後、棟側に位置する取付け装置３の支持金具５を屋根固定金具４の被取付け部７に沿って軒側に移動させ、支持金具５の縦片９を太陽電池パネル２の棟側端面に当接すると共に、上横片１０を太陽電池パネル２の枠体１６の棟側端部上面に被せ、ナット１５を締め付けることで支持金具５が屋根固定金具４に対して移動しないように固定すると共に上横片１０を太陽電池パネル２の枠体１６の軒側端部上面に当接して図３に示すように枠体１６を上から押さえつける。
【００３３】
このように太陽電池パネル２の位置調整をして太陽電池パネル２の軒側端部及び棟側端部を複数の取付け装置３を用いて傾斜した屋根１上に取付けるのであるが、上記太陽電池パネル２の位置調整が、太陽電池パネル２を屋根勾配に沿って滑り落ちないように仮支持した状態で行えるので、少ない人数で簡単に位置調整、その後の本固定作業を行うことができる。
【００３４】
また、太陽電池パネル２は軒側端部及び棟側端部を複数の取付け装置３で直接屋根１に取付けるので、太陽電池パネル２を屋根１に取付けるための部材点数が少なく、構成も簡略化することができる。
【００３５】
上記のように位置調整して太陽電池パネル２を屋根１上に取付けることができるので、取付け装置３を屋根１に取付ける取付け精度に誤差が生じていても、太陽電池パネル２を簡単且つ正しい位置に取付けることができ、また、隣接する太陽電池パネル２と位置ずれがないように取付けることが可能となる。
【符号の説明】
【００３６】
１  屋根
２  太陽電池パネル
３  取付け装置
４  屋根固定金具
５  支持金具
６  載置部
７  被取付け部
８  固定部
９  縦片
１０  上横片
【図１】
2010163750.tif 000003
【図２】
2010163750.tif 000004
【図３】
2010163750.tif 000005
【図４】
2010163750.tif 000006
【図５】
2010163750.tif 000007
【図６】
2010163750.tif 000008